(57)【要約】【課題】シート給送装置，画像読取装置において、自動的に省エネルギモードを解除する。【解決手段】待機状態での消費電力を節減する省エネルギモードを備えたシート給送装置において、省エネルギモードの場合（Ｓ１０１）に、原稿検知センサが原稿の載置を検知したとき（Ｓ１０２、ＹＥＳ）、前記省エネルギモードを解除する（Ｓ１０３）。【選択図】        図１
2004295037.tif 000002
【特許請求の範囲】
【請求項１】
待機状態での消費電力を節減する省エネルギモードを備えたシート給送装置において、
原稿を積載可能な原稿台と、
前記原稿台に原稿が載置されたことを検知する第１の原稿検知センサと、
前記省エネルギモードの場合に、前記原稿検知センサが原稿の載置を検知したとき、前記省エネルギモードを解除するように制御する制御手段と、
を備えたことを特徴とするシート給送装置。
【請求項２】
請求項１記載のシート給送装置において、
前記第１の原稿検知センサとは別の位置に第２の原稿検知センサを備え、
前記制御手段は、前記第１の原稿検知センサが原稿の載置を検知し、省エネルギモードが解除された後に、前記第２の原稿検知センサが原稿の載置を検知しなかった場合、再び省エネルギモードになるように制御することを特徴とするシート給送装置。
【請求項３】
請求項２記載のシート給送装置において、
前記原稿台に載置された原稿を給紙開始位置まで昇降する昇降手段を備え、
前記第１の原稿検知センサは、原稿台が降りた状態で原稿を検知し、前記第２の原稿検知センサは、前記給紙開始位置まで上昇してきた状態で原稿を検知するように構成したことを特徴とするシート給送装置。
【請求項４】
請求項２または３記載のシート給送装置において、
前記第１の原稿検知センサと前記第２の原稿検知センサは異なる動作原理で原稿を検知するように構成したことを特徴とするシート給送装置。
【請求項５】
請求項１ないし４のいずれかに記載のシート給送装置において、
前記第１の原稿検知センサは反射型センサであることを特徴とするシート給送装置。
【請求項６】
請求項２ないし５のいずれかに記載のシート給送装置において、
前記第１の原稿検知センサによって原稿が検知された後、前記第２の原稿検知センサで原稿が検知されなかった場合に、前記第１の原稿検知センサの検知判定レベルを変更することを特徴とするシート給送装置。
【請求項７】
請求項１ないし６のいずれかに記載のシート給送装置を備え、給送された原稿の画像を読み取ることを特徴とする画像読取装置。
【請求項８】
請求項７記載の画像読取装置において、
省エネルギモードが解除されると、原稿を搬送し、画像読取動作を行うように構成したことを特徴とする画像読取装置。
【発明の詳細な説明】
【０００１】
【発明の属する技術分野】
本発明は、動作待機中に省エネルギモードになるシート給送装置に関し、特にその省エネルギモード解除手法に関するものである。
【０００２】
【従来の技術】
近年、画像読取装置や、複写機等では、動作待機時の消費電力を削減するために、省エネルギモードが設定され、動作待機状態が一定時間つづくと自動的に省エネルギモードに入るように構成されたものが広く用いられている。
【０００３】
この省エネルギモードでは、動作待機中に必要のないデバイス等の電源供給をカットしたり、動作用のクロックを停止したり、省エネルギ機能をもつデバイスの場合には、その状態に設定したりすることによって、動作待機中の消費電力を削減する。
【０００４】
通常、この省エネルギモードには自動的に移行され、省エネルギモード時にユーザが機械に設置されている何らかの動作命令スイッチや、ホストコンピュータに接続されている場合は、ホストコンピュータから何らかの動作命令を行うことにより、省エネルギモードは解除される。
【０００５】
【発明が解決しようとする課題】
しかしながら、前述のような構成では、省エネルギモードを解除するための動作をユーザに要求しなくてはならず、また、省エネルギモード状態かどうかを判断し、その動作を行わなければならないため、現在の状態が省エネルギモードであることをユーザに示す必要があり、無駄な動作が増えるばかりではなく、表示のための無駄な電力まで使う必要があった。
【０００６】
本発明は、このような状況のもとでなされたもので、シート給送装置，画像読取装置において、自動的に省エネルギモードを解除することを課題とするものである。
【０００７】
【課題を解決するための手段】
前記課題を解決するため、本発明では、シート給送装置を次の（１）ないし（６）のとおりに構成し、画像読取装置を次の（７），（８）のとおりに構成する。
【０００８】
（１）待機状態での消費電力を節減する省エネルギモードを備えたシート給送装置において、
原稿を積載可能な原稿台と、
前記原稿台に原稿が載置されたことを検知する第１の原稿検知センサと、
前記省エネルギモードの場合に、前記原稿検知センサが原稿の載置を検知したとき、前記省エネルギモードを解除するように制御する制御手段と、
を備えたことを特徴とするシート給送装置。
【０００９】
（２）前記（１）記載のシート給送装置において、
前記第１の原稿検知センサとは別の位置に第２の原稿検知センサを備え、
前記制御手段は、前記第１の原稿検知センサが原稿の載置を検知し、省エネルギモードが解除された後に、前記第２の原稿検知センサが原稿の載置を検知しなかった場合、再び省エネルギモードになるように制御することを特徴とするシート給送装置。
【００１０】
（３）前記（２）記載のシート給送装置において、
前記原稿台に載置された原稿を給紙開始位置まで昇降する昇降手段を備え、
前記第１の原稿検知センサは、原稿台が降りた状態で原稿を検知し、前記第２の原稿検知センサは、前記給紙開始位置まで上昇してきた状態で原稿を検知するように構成したことを特徴とするシート給送装置。
【００１１】
（４）前記（２）または（３）記載のシート給送装置において、
前記第１の原稿検知センサと前記第２の原稿検知センサは異なる動作原理で原稿を検知するように構成したことを特徴とするシート給送装置。
【００１２】
（５）前記（１）ないし（４）のいずれかに記載のシート給送装置において、前記第１の原稿検知センサは反射型センサであることを特徴とするシート給送装置。
【００１３】
（６）前記（２）ないし（５）のいずれかに記載のシート給送装置において、前記第１の原稿検知センサによって原稿が検知された後、前記第２の原稿検知センサで原稿が検知されなかった場合に、前記第１の原稿検知センサの検知判定レベルを変更することを特徴とするシート給送装置。
【００１４】
（７）前記（１）ないし（６）のいずれかに記載のシート給送装置を備え、給送された原稿の画像を読み取ることを特徴とする画像読取装置。
【００１５】
（８）前記（７）記載の画像読取装置において、
省エネルギモードが解除されると、原稿を搬送し、画像読取動作を行うように構成したことを特徴とする画像読取装置。
【００１６】
【発明の実施の形態】
以下本発明の実施の形態を画像読取装置の実施例により詳しく説明する。
【００１７】
【実施例】
図２は実施例である“画像読取装置”の主要部の構成を示す図である。
【００１８】
図２において、１はシート材載置部としての原稿台、２は原稿台１を昇降させ、原稿を給紙可能な位置まで運ぶ手段としての原稿台駆動モータ、３はシート材検知手段としての給紙部原稿検知センサである。
【００１９】
図３，図４を用い給紙部原稿検知センサ３を説明する。
【００２０】
図３において、３ａは透過形のフォトインタラプタで、原稿検知レバー３ｂがフォトインタラプタ３ａの光を遮ることにより、原稿の有り無しを判断する。本構成では原稿が有るときにレバー３ｂが矢印の方向に動き、光を通す。また、図４において、３ｃは原稿台１に設けられた溝であり、原稿台１が上に上がりきった状態で、原稿レバー３ｂがこの溝３ｃに逃げられるような位置に設置され、原稿がないときに誤検知することを防いでいる。２５は原稿台１に原稿が載置されたことを検知する原稿台原稿検知センサであり、本実施例では反射型のセンサを用いる。
【００２１】
図４を用い原稿台原稿検知センサ２５の説明をする。
【００２２】
図４において、２５ａは原稿台原稿検知センサ２５用の窓であり、透明、もしくは半透明になっていて、原稿検知センサ２５からの光を通し、原稿台１に原稿が載置されている場合は、この原稿に跳ね返った光を再度通し、原稿検知センサ２５の受光部に入射させる。入射された光のレベルが変わることによって、原稿検知センサ２５は原稿台１に原稿が載置されていることを判断する。また、原稿台原稿検知センサ２５は省エネルギモード時でも、動作できるように構成されており、原稿台１に原稿が置かれたか、常に検知できるようになっている。
【００２３】
４は給送回転体としての給紙ローラで、原稿台１を上昇させ、原稿が給紙位置に到達すると、給紙ローラ４によって給紙される。５は駆動手段としての給紙モータで給紙ローラ４を直接駆動している。６は搬送回転体としての送りローラ、７は分離回転体としての分離ローラであり、８は駆動手段としての送りモータで送りローラ６を直接駆動し、９は駆動手段としての分離モータで分離ローラ７を直接駆動している。本実施例では送りローラ６と分離ローラ７とで分離搬送手段を構成する。
【００２４】
１０は搬送モータで分離搬送後の原稿を原稿読み取り位置から排紙位置まで搬送駆動するのと同時に、原稿の読み取り速度や、解像度などで速度を変更できる様になっている。１１は間隔調整手段としての紙厚調整モータで、送りローラ６、分離ローラ７の間隔を調整し的確な状態で紙の分離搬送を自動で行なえる様にしている。
【００２５】
１４，１５は原稿の読み取りセンサで原稿上の画像を読み取る。１６は排紙センサで、原稿が読み取り部を通過して排紙部に排紙されたのを検知する。１７，１８はレジストローラで、原稿が先に移動するのを制限し、原稿の斜行を補正する。１９はレジストクラッチで搬送モータ１０の駆動をレジストローラ１８に接続する，しないを切り替えている。
【００２６】
２０，２１，２２，２３は原稿搬送ローラで原稿Ｆを搬送駆動してゆく。４０は上ガイド板、４１は下ガイド板で、二つのガイド板４０，４１に挟まれて原稿Ｆは搬送されて行く。
【００２７】
Ｓ１は給紙前センサ、Ｓ２は給紙後センサ、Ｓ３はレジスト前センサ、Ｓ４はレジスト後センサである。
【００２８】
次に、以上説明した構成と図１のフローチャートを用い、本実施例の動作を説明する。
【００２９】
本実施例の画像読取装置は、電源投入後、もしくは画像読取終了後に一定時間動作が行なわれないと、自動的に省エネルギモードに入る（ステップ１０１、図ではＳ１０１と表記する、以下同様）。
【００３０】
省エネルギモード時に、原稿台１に原稿が載置されると、原稿台原稿検知センサ２５がＯＮになり（ステップ１０２）、不図示のＣＰＵなどの制御装置に原稿台原稿検知センサ２５からの信号を送ることによって、省エネルギモードが解除される（ステップ１０３）。ＣＰＵなどの制御装置を省エネルギモード（例えばＣＰＵのスリープモード）に設定している構成でも、割り込み信号として原稿台原稿検知センサ２５の信号を入れることで、強制的にＣＰＵを復帰させ、省エネルギモードを解除することが出来る。
【００３１】
ここで、画像を読み取るためにユーザが必ず行う動作である“原稿台に原稿を置く”という動作によって省エネルギモードを解除することで、画像読み取り動作までをより簡略化でき、ユーザに無駄な動作を要求せずに済む。
【００３２】
本実施例には示していないが、原稿台１に原稿を置く前に画像読取装置に接続された不図示のホストコンピュータからの動作命令や装置に設置されたコントロールボタン押すことなどからも、省エネルギモードを解除することができる。
【００３３】
次に原稿台１は原稿台駆動モータ２によって、給紙可能位置まで上昇する（ステップ１０４）。この時、原稿台１に原稿が載置されていれば、給紙部原稿検知センサ３がＯＮになる（ステップ１０５）。
【００３４】
原稿台原稿検知センサ２５は反射形センサであり、一体に設置されたＬＥＤ等の光が原稿にあたり跳ね返ってきた光を受光することによって、原稿の有り無しを判断する。センサ２５の受光部分には原稿に跳ね返った光だけでなく、原稿が設置されていない時には、外光が入射しているため、外光が急に明るくなったり、暗くなったりすると、原稿が置かれたと誤検知する可能性がある。例えば、装置が設置してある部屋のライトをＯＮ／ＯＦＦしたときなどである。しかし、仮に誤検知されたとしても、給紙部原稿検知センサ３がＯＮしないため、原稿が載置されていないと判断できる。ここで、原稿が載置されていないと判断された場合は、原稿台駆動モータ２によって原稿台１を下降させ（ステップ１０６）、再び省エネルギモードに入る。通常、省エネルギモードには、一定時間なんの動作も行なわれないと自動的に突入するが、このように構成することによって、すぐに省エネルギモードに復帰でき、無駄な電力を一定時間使わずに済む。
【００３５】
また、このとき原稿台原稿検知センサ２５の原稿有り，無しの判定レベルを変更するように構成することによって、外光の影響を阻止でき、原稿台原稿検知センサ２５の誤検知を防止できる（ステップ１０９）。
【００３６】
次に、給紙部原稿検知センサ３に、原稿があると検知されると、原稿搬送動作が開始される（ステップ１０７）。まず、原稿台１に載置された原稿は給紙ローラ４によって搬送路へ給紙される。原稿が搬送路に入ると、送りローラ７，レジストローラ１７，１８、原稿搬送ローラ２０，２１を介し、原稿は搬送される。分離ローラ７は原稿が重送して搬送されないように、分離するためのもので、搬送方向とは逆向きに回転している。
【００３７】
原稿が搬送され画像読取センサ１４，１５の位置にさしかかると、画像読み取り動作が開始される。なお、原稿の位置は、給紙前センサＳ１、給紙後センサＳ２，レジスト前センサＳ３，レジスト後センサＳ４で判別可能である。
【００３８】
原稿後端が画像読取センサ１４，１５と過ぎると、画像読み取り動作は終了し、原稿は不図示の排紙路を通り、排紙される。
【００３９】
画像読み取り開始時に、画像読取装置からの画像読み取り開始信号などを、不図示のホストコンピュータに送ることによって、ホストコンピュータ側のアプリケーションが自動的に立ち上がるように構成することで、画像の記録動作までを自動で行えるようになる。
【００４０】
以上説明したように、本実施例によれば、ユーザは、“原稿台に原稿を置く”という、画像を読み取る際に必ず行う動作をするだけで省エネルギモードを解除でき、省エネルギモード解除のために無駄な動作を行わずに済む。また、給紙部原稿検知センサ３を用いることによって、原稿台原稿検知センサ２５が原稿を誤検知した場合にも、自動的に省エネルギモードに戻るように構成したことによって、再度省エネルギモードに突入するまでの無駄な電力を使わずに済む。さらに、原稿検知後、ユーザに画像読み取り命令などを要求せずに、画像読み取りを行うように構成したことにより、画像読み取り動作にかかる所要時間を短くでき、操作を簡略化することが可能となる。
【００４１】
【発明の効果】
以上説明したように、本発明によれば、ユーザは、“原稿台に原稿を置く”という、画像を読み取る際等に必ず行う動作をするだけで省エネルギモードを解除でき、省エネルギモード解除のために無駄な動作を行わずに済む。また、第１の原稿検知センサで原稿を誤検知した場合にも、第２の原稿検知センサの信号により自動的に省エネルギモードに戻るので、再度省エネルギモードに突入するまでの無駄な電力を使わずに済む。
【図面の簡単な説明】
【図１】実施例の動作を示すフローチャート
【図２】実施例の主要部の構成を示す図
【図３】給紙部原稿検知センサの構成を示す図
【図４】原稿台原稿検知センサの説明図
【符号の説明】
１    原稿台
３    給紙部原稿検知センサ
【図１】
2004295037.tif 000003
【図２】
2004295037.tif 000004
【図３】
2004295037.tif 000005
【図４】
2004295037.tif 000006